(57)【特許請求の範囲】
【請求項１】
内蔵型発送ユニットとしてネットワーク接続可能なデータ転送装置を発送するように構成される筐体と、
前記筐体に連結され、発送宛先情報を提供するために前記筐体の外部から視認可能な更新可能な電子ディスプレイであって、前記更新可能な電子ディスプレイは前記発送宛先情報を変更するために更新可能である、前記更新可能な電子ディスプレイと、
前記筐体内の永続記憶媒体であって、前記永続記憶媒体は発送中にデータを格納するように構成される、前記永続記憶媒体と、
前記筐体を通して接続可能で、ネットワーク接続記憶装置として前記永続記憶媒体に対するアクセスを提供するように構成されるネットワーク接続部と、
少なくとも前記更新可能な電子ディスプレイに電力を供給するように構成される内部電源と、を備える、ネットワーク接続可能なデータ転送装置。
【請求項２】
前記更新可能なディスプレイは、発送中に電力無しで前記発送宛先情報の表示を維持するように構成される電子インクスクリーンを有する、請求項１に記載のネットワーク接続可能なデータ転送装置。
【請求項３】
更に、無線周波数識別（ＲＦＩＤ）を備え、前記ネットワーク接続可能なデータ転送装置を一意的に識別可能で、前記ＲＦＩＤにより追跡可能である、請求項１に記載のネットワーク接続可能なデータ転送装置。
【請求項４】
更に、前記筐体に作用する力を検知するように構成される加速度計を備え、前記ネットワーク接続可能なデータ転送装置は、前記筐体に作用する力についての情報を前記電子ディスプレイに表示するように構成される、請求項１に記載のネットワーク接続可能なデータ転送装置。
【請求項５】
前記更新可能なディスプレイは、タッチベースの入力を受けるように構成され、ネットワーク上でデータを転送する前記ネットワーク接続可能なデータ転送装置を構成するタッチスクリーンを備える、請求項１に記載のネットワーク接続可能なデータ転送装置。
【請求項６】
前記ネットワーク接続可能なデータ転送装置は、前記ネットワーク接続可能なデータ転送装置を認証する１つまたは複数の証明書と、前記ネットワーク接続可能なデータ転送装置の前記永続記憶媒体に格納されたデータを暗号化する１つまたは複数キーとを有するキーストアをプロビジョニングされている、請求項１に記載のネットワーク接続可能なデータ転送装置。
【請求項７】
更に、前記ネットワーク接続可能なデータ転送装置の環境のそれぞれの特性を検知するように構成される温度センサ、圧力センサまたは湿度センサの少なくとも１つを備え、前記ネットワーク接続可能なデータ転送装置は、前記少なくとも１つのセンサから取得した情報を前記電子ディスプレイに表示するように構成される、請求項１に記載のネットワーク接続可能なデータ転送装置。
【請求項８】
前記ネットワーク接続可能なデータ転送装置は、ＭＩＬ  ＳＴＤ  ８１０（ＭＩＬ−ＳＰＥＣ）またはＩＰＸＸ（異物侵入防護）を含む１つまたは複数の規格にしたがって、塵埃及び水に対する保護が高耐久化される、請求項１に記載のネットワーク接続可能なデータ転送装置。
【請求項９】
永続記憶媒体は、１つまたは複数のハードディスクドライブ、光学式媒体、磁気テープまたはソリッドステート記憶装置を備え、前記ネットワーク接続可能なデータ転送装置は、前記更新可能な電子ディスプレイを介して、前記永続記憶媒体の１つまたは複数の作動特性の表示を命令するように構成される、請求項１に記載のネットワーク接続可能なデータ転送装置。
【発明の詳細な説明】
【背景技術】
【０００１】
データ格納容量及びビッグデータの増加は、ビッグデータを転送可能なデータ送信回線容量の増大を遥かに上回っている。この差は非常に大きく、１つの格納設備から他の格納設備へのビッグデータの送信は非常にコストがかかり（例えば、高額なシステムのアップグレードが必要）または非常に長い（例えば、伝送に数か月から数年必要）。格納媒体を物理的に移動することは、レガシーハードウェアにデータを残すことがあり、または、利用可能なオプションでないことがある（例えば、そのデータが顧客のためのストレージサービスにより格納されていたとき）。いくつかの解決策は、携帯可能な記憶装置にデータを転送すること（例えば、ネットワーク接続記憶装置）、及び、携帯可能な記憶装置を、データが他の記憶システムに転送される他の記憶装置に発送することを包含する。
【０００２】
しかし、発送に至るとき、物品をコンテナ内に配置し、容器の表面にラベルを付することは、正しい物品を正しい目的地に発送することを阻害することのある人的過誤に対する多くの機会を与えることになる。例えば、誤った物品をボックス内に配置し、または、間違ったラベルをボックスに付すことにより、顧客に間違った物品を受け取らせることがある。
【０００３】
特に、特定の物品に注文が発注されたときに、その物品が取り出され、その物品を発送するためのボックスが選択される。ときには、物品が他の物品と共に特定の領域に詰め込まれ、人的または他の誤りにより、その物品用ではないボックス内に物品が配置されることがある。他の実施例では、発送コンテナ用ラベルがそのコンテナに印刷され、取付けられる。この場合も、人的または他の誤りにより、ラベルが誤って印刷され、そのラベル用ではなかったボックスに取付けられることがある。更に、厚紙の発送用コンテナ等の使い捨ての発送用コンテナは、一回または数回使用するだけで廃棄されることが多いため、資源の最大限の活用とならないことがある。
【０００４】
更に、このような誤りには、注文を実行している事業所、または、顧客サイト、例えば、注文した事業所に物品を戻している顧客サイトのいずれかで発生するものもある。
【図面の簡単な説明】
【０００５】
【図１】いくつかの実施形態による、ネットワーク更新可能な電子インクディスプレイを有する発送可能なデータ記憶装置のシステム及びプロセスを示す。
【図２】いくつかの実施形態による、ネットワーク更新可能な電子インク発送ディスプレイを有する発送可能なデータ記憶装置を示す。
【図３】いくつかの実施形態による、ネットワーク更新可能な電子インク発送ディスプレイを有する発送可能なデータ記憶装置の概略図である。
【図４】いくつかの実施形態による、ネットワーク更新可能な電子インク発送ディスプレイを有する発送可能なデータ記憶装置を使用するプロセスの流れ図である。
【図５】いくつかの実施形態による、ネットワーク更新可能な電子インク発送ディスプレイを有する発送可能なデータ記憶装置に関連するプロビジョニングプロセスの流れ図である。
【図６】いくつかの実施形態による、顧客ロケーションにおいてネットワーク更新可能な電子インク発送ディスプレイを有する発送可能なデータ記憶装置に関連するクライアント側プロセスの流れ図である。
【図７】いくつかの実施形態による、ネットワーク更新可能な電子インク発送ディスプレイを有する発送可能なデータ記憶装置に関連するサービスプロバイダデータ収集プロセスの流れ図である。
【図８】いくつかの実施形態による、ネットワーク更新可能な電子インク発送ディスプレイを有する発送可能なトート／発送コンテナを示す。
【図９Ａ】図９Ａから図９Ｄは、いくつかの実施形態による、更新可能な電子ディスプレイを介して表示される種々のタイプの情報を示す。
【図９Ｂ】図９Ａから図９Ｄは、いくつかの実施形態による、更新可能な電子ディスプレイを介して表示される種々のタイプの情報を示す。
【図９Ｃ】図９Ａから図９Ｄは、いくつかの実施形態による、更新可能な電子ディスプレイを介して表示される種々のタイプの情報を示す。
【図９Ｄ】図９Ａから図９Ｄは、いくつかの実施形態による、更新可能な電子ディスプレイを介して表示される種々のタイプの情報を示す。
【図１０】異なる実施形態による、ここに記載の技術の一部または全てを実行する実施例のコンピュータシステムを示すブロック図である。
【発明を実施するための形態】
【０００６】
本明細書では、いくつかの実施形態及び例示的な図面についての例として実施形態を説明するが、当業者であれば、実施形態は、記載の実施形態または図面に制限されないことが認識される。図面及びその詳細な説明は、開示される特定の形態に実施形態を限定することを意図しておらず、逆に、その意図は、添付の特許請求の範囲によって定義される精神及び範囲に含まれる全ての変形、均等物及び代替物に及ぶことを理解するべきである。本明細書で使用される表題は、構成的な目的で使用しているにすぎず、詳細な説明及び特許請求の範囲の範囲を限定するために使用することを意図するものではない。本出願を通じて使用されるように、単語「ｍａｙ」は、必須の意味（すなわち、ｍｕｓｔを意味する）ではなく、許容的な意味（すなわち、ｈａｖｉｎｇ  ｔｈｅ  ｐｏｔｅｎｔｉａｌ  ｔｏを意味する）で使用される。同様に、単語「ｉｎｃｌｕｄｅ」、「ｉｎｃｌｕｄｉｎｇ」、及び「ｉｎｃｌｕｄｅｓ」は、ｉｎｃｌｕｄｉｎｇ，ｂｕｔ  ｎｏｔ  ｌｉｍｉｔｅｄ  ｔｏ、を意味する。
【０００７】
種々の実施形態は、発送データ記憶装置の宛先発送アドレスを表示するために使用される電子発送ディスプレイを含む発送データ記憶装置に関連するシステム及びプロセスを記載する。
【０００８】
いくつかの事例では、内蔵型装置は、追加包装を必要としないように、記憶装置を発送するために適切な筐体を有してもよい。例えば、筐体は、発送情報を表示する更新可能な電子ディスプレイを有してもよく、したがってキャリアはこのディスプレイから発送情報をスキャンしまたは読込み、表示された発送情報に基づいて、宛先に送出することができる。この装置は、実施形態において、１つの大規模データ格納設備から他の大規模データ格納設備に大量のデータを移動するために使用してもよい。この装置は、データ伝送ネットワークがデータを十分な速度で移動できないときに、１つの格納設備から他の格納設備に移動するために使用してもよい。例えば、ペタバイトのデータはいくつかのネットワーク接続を介して送信するために数年かかることがあり得るが、一方、格納設備から装置へのデータの転送は数日以下のことがあり、発送可能な記憶装置は翌日配達等の速さで物理的に発送することができる。この装置は更に、高度に安全な移送手段が必要なときに、１つの格納設備から他の格納設備にデータを転送するために使用してもよい。
【０００９】
実施形態では、インポートまたはエクスポートは、顧客の代りに装置を所有もしくは管理し、または、データを格納するサービスプロバイダに関連してもよい。例えば、顧客からストレージサービスプロバイダに対し、発送データ記憶装置を介してデータを移動することを、インポートと称し、ストレージサービスプロバイダから顧客に対し、発送可能データ記憶装置を介して移動することを、エクスポートと称してもよい。いくつかの実施形態では、データはマルチキャストでもよく、例えば、ストレージサービスにデータがアップロードされるストレージサービスプロバイダに顧客から送信し、この後、装置が更に顧客の顧客に発送される（例えば、ストレージサービスプロバイダにデータがアップロードされた後、データと共に、ストレージサービスプロバイダから継続する装置を介して）。マルチキャストシナリオをエクスポート実施形態に適用してもよい。マルチキャスト実施形態は、ソースにおいてデータをロードされ、その後、多数の異なる宛先に送信され、多数の異なる宛先においてコピーを分散する単一装置を指し、または、データの同じコピーをロードされ、それぞれが異なる宛先に送られる多数の異なる発送可能なデータストレージ装置を指してもよい。いくつかのマルチキャスト実施形態では、それぞれの装置が大量のデータの一部を転送する多数の異なる装置は、第１宛先にグループとして、次いで、他の宛先に向け発送し、サービスプロバイダに戻される前に、大量のデータのコピーをそれぞれの宛先に残してもよい（例えば、異なるオフィスのシーディング）。顧客は、例えば、サービスプロバイダストレージネットワークから多数のロケーションまたは顧客にデータのエクスポートを要求してもよい。
【００１０】
例えば、いくつかの大規模データストレージ設備は大量のデータを格納するが、しかし、設備の外部に大量のデータを転送する方法はない。いくつかの事例では、大量のデータを合理的に移動するために十分な外部データ転送設備が実現されなかったように、企業ストレージ設備は、そのときの企業内で排他的に使用されるデータが時間と共に増大することがある。このような大量のデータをクラウドベースのストレージソリューションにコスト効率よくかつ適時な方法で移動することは、困難であり、不可能でさえある。
【００１１】
特定の実施例では、ビッグデータ（例えば、テラバイト、ペタバイトまたは同種のもの）を１つの記憶設備から他に移動することは、現在の帯域幅ソリューションで送信するためには数か月または数年かかることがある。他の方法は、１つのストレージシステムにおいてかなりの日数または週にわたり、多数のデータ転送装置にデータをローカルで転送し、この後、多数の転送装置を他のストレージシステムに発送し、多数の転送装置から宛先ストレージシステムにデータをローカルで転送することである。
【００１２】
この装置は、装置の筐体の一部としてまたはこれに組込んだ電子ディスプレイを設けてもよい。実施形態では、ディスプレイは、電子インクディスプレイ等の低電力ディスプレイでもよく、このディスプレイは、このディスプレイが発送された宛先アドレスを含む任意の種々の情報に更新される可能性がある。装置には、装置の発送状況を追跡するＧＰＳセンサ、または、加速度計、温度センサ、湿度センサ、圧力センサもしくは同種のもの等の環境センサ等の種々のセンサを設けてもよい。センサに関連するデータは、実施形態では、ディスプレイに表示してもよい。装置は、実施形態では、輸送中に損傷し難いように、高耐久化してもよい。
【００１３】
実施形態では、発送可能な装置は、永続記憶装置を囲み、電子ディスプレイを組込んで高耐久化した筐体が内蔵型として役割を果たすように構成される。このような配置は、発送エラーを低減することがある。例えば、永続記憶装置、ディスプレイ及び筐体が内蔵型として連結されているため、１つのコンテナ用の持続記憶装置を異なるコンテナに不適当に組み合わせることができない可能性がある。同様に、ディスプレイが発送可能な全体に組込まれているため、発送可能なユニットに誤ったラベルを貼る（例えば、装置に間違ったラベルを付することにより）ことがなくなる可能性がある。したがって、不適当なラベル、コンテナ及び品目に関する誤りは、このような発送可能な記憶装置によって減少することがある。
【００１４】
種々のプロセスは、例えば、データの安全を保持するプロセス等、この装置を使用するサービスプロバイダまたは顧客により設けられてもよい。例えば、多数の装置を有するストレージサービスプロバイダ等のサービスプロバイダは、データ転送サービスの特定の要求に対し特定の装置を連結するプロビジョニング処理を実行してもよい。実施形態において、サービスプロバイダは、装置にセキュリティ情報をインストールし、装置のディスプレイに、要求に関連する発送宛先を表示するように命令し、内蔵型発送コンテナとして、キャリアに装置を提供してもよい。
【００１５】
他のプロセスでは、サービスを要求した顧客が装置を受け取ったとき等、顧客は装置を顧客ネットワークに接続し、装置に対応する専用アプリケーションをダウンロードしてもよい。顧客ネットワーク上で顧客コンピュータによりアプリケーションが実行されたときに、アプリケーションは、ネットワークに接続された装置を見つけ、データ転送装置を有効にしてもよい。いくつかの実施形態では、アプリケーションは、装置に転送されるべき顧客ネットワーク上でデータを識別するために使用してもよく、アプリケーションは、識別した顧客データを暗号化し、暗号化したデータを装置にロードしてもよい。
【００１６】
いくつかの実施形態では、装置の宛先情報を更新してもよい。例えば、更新した宛先情報は、顧客ネットワークまたは装置のメモリから取得し、電子ディスプレイに表示してもよい。いくつかの実施形態では、装置は、顧客ロケーションに配置され、表示された宛先情報を顧客側から次の宛先に変更することを実現してもよい（例えば、ＧＰＳセンサに基づいて）。顧客は、その後、他の追加包装またはラベル付けを行うことなく、内蔵型発送コンテナとしてキャリアに装置を提供し、発送してもよい。
【００１７】
他のプロセスでは、装置がサービスプロバイダに戻されたときに（ディスプレイに表示されたアドレスまたはコード化されたアドレスの指示にしたがって）、例えば、取込みプロセスを実行してもよい。例えば、データ転送装置は、サービスプロバイダネットワーク、暗号解読され、サービスプロバイダのストレージサービスに格納された装置のデータ、及び、再使用のために準備されたデータ転送装置に接続してもよい。
【００１８】
いくつかの実施形態では、電子ディスプレイは、論理にしたがってオンまたはオフされるように構成してもよい。例えば、サービスプロバイダストレージネットワークのロケーションを隠すために、装置は、装置が顧客設備から出る（例えば、更に、キャリアに受領される）まで、サービスプロバイダの宛先アドレスを表示しないように構成してもよい。プログラム論理は、装置ロケーションを測定し、それに応じて表示を調整するためにＧＰＳまたはセルラーデータに依存してもよい。
【００１９】
いくつかの実施形態では、全体の装置は、装置用のユーザインタフェースとしての役割を果たすように構成してもよい。例えば、装置は、ディスプレイがブランクのスリープモードからディスプレイを起動することにより、装置の振動に応答するように構成してもよい。実施形態では、装置の振動により、宛先アドレスまたはメッセージをディスプレイに表示させてもよい。
【００２０】
装置は、キーパッド付きに構成してもよく（例えば、物理的なキーボードまたはディスプレイを介する仮想キーパッド）、または、音声コマンド、命令またはメッセージに応答するように構成してもよい。
【００２１】
図１は、いくつかの実施形態による、ネットワーク更新可能な電子インクディスプレイを有する発送可能なデータ記憶装置のシステム及びプロセスを示す。図示の実施形態は、発送可能なデータ記憶装置がサービスプロバイダロケーション１２０から企業ロケーションｘ１１０に、更に、サービスプロバイダロケーション１２０に戻る動き、及び、種々のエンティティに沿って実行される種々のプロセスＡ〜Ｇを示す。実施形態では、図１に記載の装置１３０は、図２、３、８及び９Ａ〜９Ｄに示す装置１３０と同様であってもよい。
【００２２】
企業ロケーションｘ１１０は、図１に記載されている。しかし、いくつかの実施形態では、他のロケーションを有してもよく、発送可能データ記憶装置１３０は、記載の発送Ｂに代え、追加して、前にまたは後に、これらのロケーションに発送してもよい。いくつかの実施形態では、多数の異なる装置を、記載の発送と同じ時間に種々のロケーションに発送してもよい。発送可能データ記憶装置は、例えば、制限するものではないが、顧客、政府機関または他のサービスプロバイダ等、企業以外のエンティティに発送してもよい。実施形態では、企業ロケーションｘ１１０におけるサーバまたはデスクトップコンピュータは、図４及び６に示すプロセスの一部または全てを実行してもよい。実施形態では、サービスプロバイダロケーション１２０におけるサーバまたはデスクトップコンピュータは、図５及び７に示すプロセスの一部または全てを実行してもよい。
【００２３】
記載の実施形態では、（Ａ）顧客は、ジョブが実行されることを作成、生成または要求する。ジョブの作成または要求は、１つまたは複数のネットワーク（例えば、ネットワーク１０８）を介して企業がアクセスするサービスプロバイダのネットワーク基盤のページまたはサイト等のコンソールを介して実行してもよい。（Ｂ）において、サービスプロバイダは、特定の発送可能データ記憶装置１３０を準備し、装置に企業ロケーションｘ１１０に関連するアドレス（例えば、ジョブ作成（Ａ）中に取得される）を表示するように装置に命令し、ジョブ情報（例えば、いくつかの実施形態では、要求時におけるジョブの生成中に決定してもよい）にしたがって要求する顧客に装置を発送する。（Ｃ）において、装置は、企業ロケーションＸ１１０で受領され、顧客データは顧客サイトにおいて装置に転送される。（Ｄ）において、電子ディスプレイは、新しい装置用の宛先に更新される。実施形態では、例えば、サービスプロバイダは、ネットワーク１０８を介して、更新したアドレスを送信してもよく、または、装置は、それが企業ロケーションであることを認識し、表示された宛先アドレスを、準備ステップ（Ｂ）の際に次の宛先にプログラムされたメモリストアから自動的に更新してもよい。（Ｅ）において、装置は、企業または顧客により、発送キャリアに提供され、装置は、プロバイダに送り戻される。いくつかの実施形態では、装置は、サービスプロバイダに戻される前に、追加データに対して１つまたは複数の顧客サイトに送られてもよい。（Ｆ）において、装置はサービスプロバイダに戻され、サービスプロバイダネットワークに接続され、顧客データが装置からサービスプロバイダシステム内に取込まれる。（Ｇ）において、装置は消去され、他のジョブのためにプロビジョニングされるまで保存される。
【００２４】
他の種々の使用ケースが意図されており、例えば、サービスプロバイダがそれを受け取り、データを更新した後、装置を、顧客の顧客等の他のエンティティに発送してもよい。いくつかの実施形態では、装置は、ストレージサービスプロバイダに装置を送った顧客とは異なる他の顧客に送ってもよい。実施形態では、装置は、同じ顧客の多数の異なるサイトに同じデータを分散するために使用してもよい。装置は、例えばエクスポートまたはインポート実施形態のいずれかで、装置がマルチキャストデータに使用されるように、種々の時間において種々のアドレスを表示するように命令してもよい。種々のアドレスが、例えば装置がプロビジョニングされたとき等に装置に同時に格納されてもよく、または、種々のアドレスが、セルラーネットワーク等のネットワークを通じて、または種々のアドレスが、顧客もしくはプロバイダネットワークもしくはこれらの組み合わせを介して、装置に送信されてもよいことが意図されている。実施形態では、装置は、装置の地理的位置またはロケーションを検知する装置に基づいて表示されるアドレスを更新するように構成される論理回路を有してもよい。例えば、１つのロケーションに到着したことを決定する（例えば、ＧＰＳセンサまたはセル方式三角測量に基づいて）装置は、この装置のメモリに格納された次のアドレスを表示するように構成してもよい。
【００２５】
図２は、いくつかの実施形態による、ネットワーク更新可能な電子インク発送ディスプレイを有する発送可能なデータ記憶装置を示す。記載の発送可能記憶装置１３０は、例えば、他の転送の形態（例えば、ブロードバンドデータ転送）が利用できない、またはコストもしくは時間が過度にかかるときに、顧客ネットワークまたはサーバの大量の顧客データを、他の記憶ネットワークまたはサーバに移動するために使用してもよい。実施形態において、発送可能記憶装置の実施形態は、ここに記載されたよりも多く、少なく、または異なる特性もしくは構成要素を有してもよい。
【００２６】
記載した実施形態では、発送可能記憶装置１３０は、永続記憶装置２９０を囲む筐体２１５を有する。永続記憶装置は、制限するものではないが、ハードディスクドライブ、光学式媒体、磁気テープ、メモリスタ記憶装置、永続ＲＡＭまたはソリッドステート記憶装置等の任意のタイプの記憶装置を包含してもよい。筐体は、高耐久化し（例えば、軍用規格または電子工業規格等の種々の規格にしたがって）、外方に向く電子ディスプレイ２１４を有し、筐体で囲まれるときに、永続記憶装置、筐体及び電子ディスプレイが、何らかの追加包装、ラベル付けまたは同種のことを行うことなく発送可能な内蔵型発送コンテナを形成し、電子ディスプレイ２１４の作用により宛先ロケーションが表示される（例えば、発送ラベルに代えて）ように、構成してもよい。実施形態では、筐体２１５とディスプレイ２１４とが、厚紙ボックス及び発送ラベルの代わりに再使用可能な発送部材として作用する。筐体は、ローラ、ハンドル等の装置１３０の移動を容易とする種々の機構を有してもよい。
【００２７】
装置１３０は、バッテリ２６０、及び、機能するために電力を必要とする発送可能装置の一部または全ての構成要素に電力を供給する電力接続部２５０と共に示されている。実施形態では、電力接続部２５０は、発送可能装置を外部電源に接続するように構成してもよい。いくつかの実施形態では、電力コネクタは、永続記憶装置に電力を供給してもよい。他の電力源は、発送可能記憶装置に電力を供給するために発送の際の動きに依存する運動エネルギ源、または、ソーラエネルギ源等を意図する。種々の電力源のいずれも、発送可能記憶装置１３０の電子装置（例えば、ディスプレイまたは記憶装置）に電力を供給してもよい。
【００２８】
装置１３０は、ディスプレイ２１４と共に示されている。ディスプレイは、非制限の実施例として、低電力電子インク（Ｅインク）、有機発光ダイオード（ＯＬＥＤ）、アクティブマトリックス有機発光ダイオード（ＡＭＯＬＥＤ）、フレキシブルディスプレイまたはタッチセンシティブディスプレイ等の任意の種々のディスプレイを有してもよい。低電力のｅインクディスプレイは、小さなバッテリ（例えば、発送コストが少ないバッテリは、安くまたは発送スペースが少ない）が好ましい発送環境に対して、電力消費が少ない利点を提供する。いくつかの実施形態では、装置１３０は、複数のディスプレイ２１４で構成してもよい。例えば、キャリアまたはフルフィルメントセンタのいくつかは、コンテナの向きに関わらずコンテナの宛先をスキャンまたは読取り可能なように、発送コンテナの３面にラベルを付する。同様に、複数のディスプレイは、装置の筐体２１５の複数の面に設けることができる。いくつかの実施形態では、例えば、筐体は１〜６以上のディスプレイで構成してもよい。種々のディスプレイは、ディスプレイがコンピュータで読取り可能（例えば、スキャナを介して）なように構成してもよい。
【００２９】
装置１３０はネットワークインターフェース２４０と共に示されている。ネットワークインターフェース２４０は、発送可能記憶装置１３０と、ＬＡＮまたはＷＡＮ等の種々のネットワークとの間のインターフェースとして作用してもよい（例えば、ｉＳＣＳＩまたはイーサネット（登録商標）等の種々のプロトコルを介して）。いくつかの実施形態では、ネットワーク接続２４０は、他の装置に対して直接的なインターフェースとして作用してもよい（例えば、ＳＣＳＩを介して）。
【００３０】
装置１３０は、スイッチ２３０と共に示されている。いくつかの実施形態では、スイッチ２３０は、オンオフスイッチとしてまたはディスプレイを作動するスイッチとして、作用してもよい。装置１３０は、更にアンテナ２２０と共に示してある。アンテナは、サービスプロバイダまたは顧客と装置との間の無線通信を容易とするように構成してもよい。例えば、無線通信は、種々のセルラーネットワーク、Ｗｉ−Ｆｉまたは同種のもの等（例えば、ネットワーク１０８）を通してもよい。例えば、サービスプロバイダは、装置１３０がいくつかのロケーションへの途中にある間に、セルラーネットワークを介して更新アドレス情報を発送可能な記憶装置１３０に送信してもよい。更新アドレス情報は、装置１３０が例えば急いでルート変更されるように、ディスプレイ２１４を介して表示される。他の実施形態では、装置が顧客サイトに配置されている際に、ディスプレイ用更新発送情報を送信するために、無線通信チャンネルを使用してもよい。実施形態では、装置を追跡するためにセルラーネットワークを使用してもよい。
【００３１】
装置１３０は、無線自動識別（ＲＦＩＤ）２８０と共に示されている。いくつかの事例では、ＲＦＩＤは、装置の追跡を支援してもよい。例えば、装置はそれぞれＲＦＩＤを介してプロビジョニングプロセス中に識別されてもよく、または、装置は、顧客が受領したときに識別されてもよく、または、サービスプロバイダに戻ったときにそれぞれのＲＦＩＤにより識別されてもよい。ＲＦＩＤは、発送可能記憶装置がサービスプロバイダのフルフィルメント設備を介する等（例えば、コンベアシステムを経由する間）設備を通して送られる際に、発送可能記憶装置を追跡するために使用してもよい。
【００３２】
装置１３０は、種々のセンサ２２２，２２４と共に示されている。装置は、非制限的実施例として、全地球測位センサ（ＧＰＳ）、温度センサ、または、加速度計を含む任意の種々のセンサを装備してもよい。データは、センサから収集され、装置の環境（例えば、暑い、寒い、穏やか、多湿）を記録し、または、装置１３０の落下、急速移動、配向またはロケーション等の装置１３０に関連する種々の事象を記録するなどの種々の態様で使用してもよい。センサのデータは、ローカルで格納され、ネットワーク１０８を通じて送信され、または、ディスプレイ２１４を介して表示されてもよい。
【００３３】
装置１３０は、複数のセキュリティ層で構成してもよい。例えば、装置に格納されたデータは、１つまたは複数のキーにより、１回または複数回暗号化してもよい。キーは、種々の関係者により決定、格納、管理または保持され、図示のプロセスの種々の段階で適用してもよい。例えば、装置に格納されたデータを暗号化するために使用されるいくつかのキーは、この装置とは別に格納してもよく、一方、装置のデータを暗号化するために使用される他のキーは装置に格納してもよい。実施形態では、暗号化キーは複数の層に適用してもよい。
【００３４】
装置１３０は、例えば一時的なローカル機器等、１つまたは複数のタイプのネットワーク基盤の装置または他の電子装置として構成してもよい。実施例では、非網羅的リストにおいて、装置１３０は暗号ハードウェア及びソフトウェア（例えば、タイプ１暗号装置）の種々の組み合わせとして、ストレージゲートウェイとして、ウェブサービス、ファイアウォール、高信頼ガード、サーバ、仮想マシンイメージ、１以上のドングル、データウェアハウスソリューションもしくはデータベースサービスボックス、または、同種のものとして、構成してもよい。
【００３５】
図３は、いくつかの実施形態による、ネットワーク更新可能な電子インク発送ディスプレイを有する発送可能なデータ記憶装置１３０の概略図である。図３は、発送可能記憶装置１３０の種々の構成要素及びモジュールを示す。この装置は、より少ないまたは追加の構成要素もしくはモジュールで構成してもよい。いくつかの構成要素またはモジュールは、他の構成要素またはモジュールに取り換えてもよい。実施形態では、例えばプロセッサ３１０及びメモリ３１２は、ファームウェアに取り換えてもよい。実施形態では、種々の構成要素またはモジュールは、図に示すプロセスの一部または全てを実行してもよい。
【００３６】
図３では、装置１３０は、ディスプレイ２１４、ネットワークインターフェース３０６及び永続記憶装置３５０と共に示されている。図示の実施形態では、ディスプレイドライバ３０２が、プロセッサ３１０とディスプレイ２１４との間のインターフェース機能を提供する。例えば、ディスプレイにアドレスを表示するように命令するため、プロセッサ３１０は、ディスプレイドライバにより解釈されるメッセージをディスプレイドライバ３０２に送信するメモリ３１２からのコンピュータ命令を実行し、ディスプレイドライバにより、ディスプレイ２１４上にアドレスを表示させる。
【００３７】
ネットワークインターフェース３０６は、外部ネットワーク（例えば、顧客ネットワークまたはサービスプロバイダネットワークまたはネットワーク１０８）と装置との間のインターフェースとして作用する。実施形態では、ネットワークインターフェースは、装置に命令を送信し、または、永続記憶装置３５０に暗号化データを送信するように構成される。無線インターフェース３０８は、サービスプロバイダから命令を受け取る（例えば、セルラーまたはＷｉ−Ｆｉネットワークを介して)ように構成してもよい。例えば、サービスプロバイダ１２０は、装置の表示されたアドレスが途中で更新されるように、セルラーネットワークを介して装置１３０に更新されたアドレスを送信し、これにより、装置が先のアドレスに代えて更新されたアドレスに発送されるように、フライト中の装置の宛先を変更してもよい。
【００３８】
入出力（Ｉ／Ｏ）インターフェース３０４は、プロセッサ３１０、メモリ３１２、ディスプレイドライバ、ネットワークインターフェース３０６、無線インターフェース３０８、センサインターフェース（複数可）３２０及び永続記憶装置３５０、または、周辺インターフェースの間のＩ／Ｏトラフィックを調節するように構成してもよい。いくつかの実施形態では、Ｉ／Ｏインターフェース３０４は、データ信号を１つの構成要素（例えば、システムメモリ３１２）から別の構成要素（例えば、プロセッサ３１０）による使用に適切な形式に変換するためのいずれかの必要なプロトコル、タイミング、または他のデータ変換を実行してもよい。いくつかの実施形態では、Ｉ／Ｏインターフェース３０４は、例えば、ペリフェラルコンポーネントインターコネクト（ＰＣＩ）バス規格、または、ユニバーサルシリアルバス（ＵＳＢ）規格等の、種々のタイプの周辺バスを通して取付けられる装置に対するサポートを包含してもよい。いくつかの実施形態では、Ｉ／Ｏインターフェース３４０の機能は、例えば、ノースブリッジ及びサウスブリッジ等の２つ以上の別個の構成要素に分離されてもよい。更に、いくつかの実施形態では、システムメモリ３１２とのインターフェース等のＩ／Ｏインターフェース３０４の機能のうちのいくつかまたは全ては、プロセッサ３１０に直接組込まれてもよい。
【００３９】
装置１３０は、永続データ記憶装置３５０と共に示されている。永続データ記憶装置３５０は、ハードディスクドライブまたはフラッシュメモリ等の非揮発性記憶装置の任意の組み合わせを有してもよい。永続記憶装置３５０は、データがサービスプロバイダ記憶システムに転送されるサービスプロバイダロケーションに、顧客ロケーションから発送する際に、大量の暗号化データ（例えば、顧客記憶システム等の大規模データストアから）を格納するように構成してもよい（例えば、プロビジョニングプロセスの際）。
【００４０】
装置１３０は、装置１３０の種々の電子部品に電力を供給し得る電源３３０ならびにセンサ（複数可）３４０及びセンサインターフェース（複数可）３２０と共に示されている。上述のように、任意の種々のセンサ（複数可）が装置１３０に含まれてもよい。装置１３０は、更に、センサ（複数可）３４０とＩ／Ｏインターフェース３０４との間のインターフェースとして作用する種々のセンサインターフェース（複数可）３２０を有してもよい。実施形態では、センサインターフェースは、特定のセンサに対してカスタマイズされた専用インターフェースとしてもよい。センサインターフェースは、データの変換、センサ出力の分析及び分析に基づく情報の出力等の種々の機能を実行してもよい。
【００４１】
データ転送装置のライフサイクル
図４は、いくつかの実施形態による、ネットワーク更新可能な電子インク発送ディスプレイを有する発送可能なデータ記憶装置を使用するプロセスの流れ図である。図４は、実施形態におけるデータ転送装置のライフサイクルを示す。図示のプロセスは、発送可能記憶装置１３０、サービスプロバイダ１２０及び顧客企業ロケーション１１０の環境内で実行してもよい。
【００４２】
４０２において、サービスプロバイダ（例えば、サービスプロバイダ１２０）は、発送可能記憶装置（例えば、装置１３０）をプロビジョニングし、装置の電子ディスプレイを設定する。例えば、サービスプロバイダは、顧客宛先アドレスを表示するために、電子ディスプレイを設定（例えば、装置ユーザインタフェースを介して、または、ネットワークインターフェースを通じた外部接続を介して）してもよい。実施形態では、サービスプロバイダは、更に、ディスプレイがいずれかのポイントで記憶したアドレスに更新できるように、返還アドレスまたは他の顧客設備のアドレスを装置のメモリに格納してもよい。
【００４３】
４０４において、装置１３０は、内蔵型発送コンテナとして、装置の電子ディスプレイに指示された宛先に発送される。例えば、サービスプロバイダは、筐体、ディスプレイ、永続記憶装置及びネットワークインターフェースを有する装置を、追加包装またはラベル付けを行うことなく一般のキャリアに提供してもよい。実施形態では、一般のキャリアは、筐体及び電子ディスプレイに包装またはラベル付けを追加することなく、輸送ネットワークを通して装置を宛先に発送してもよい。
【００４４】
４０６において、装置は顧客サイト（例えば、企業ロケーションｘ１１０）で受領され、この装置は顧客サイトのネットワークにインストールされ、データが装置１３０にロードされる。４０８において、電子的に表示された宛先は更新され、装置１３０は、内蔵型の発送コンテナとして、装置の電子ディスプレイに示される更新された宛先に発送される。ディスプレイは、プロビジョニングにおいて装置１３０のメモリに格納され、または、配送中もしくは顧客ロケーションにおいて、ネットワーク（ネットワーク１０８）を通して受領した宛先アドレスまたはコードにより、更新してもよい。更新されたアドレスは、サービスプロバイダに装置を返還するための返還アドレス、または、同じもしくは異なる顧客の他のロケーションのアドレスでもよい（例えば、多数の顧客からのデータがこの装置に格納できるように、セキュリティ規定を実行してもよい)。
【００４５】
４１０において、装置は次の顧客に発送され、ここで、装置がインストールされ、より多くのデータが暗号化され、装置１３０にロードされ（４０６と同様）、装置がサービスプロバイダアドレスを更新され、サービスプロバイダネットワークロケーションに発送するためにキャリアに手渡されるまで、プロセスは、４０８と４１０とを１回以上通して継続してもよい。４１２において、装置１３０からのデータは、サービスプロバイダ１２０のストレージサービスに取込まれまたは転送される。例えば、装置はサービスプロバイダ１２０に受け取られ、サービスプロバイダネットワークに接続され、装置からのデータが暗号化され、このデータがサービスプロバイダストレージサービスに格納される。
【００４６】
４１４において、装置はデータを消去され（例えば、顧客データ及びセキュリティ情報が削除または上書きされる）、再使用するために準備される。このプロセスは、４０２において再度開始し、継続してもよい。
【００４７】
図５〜７は、装置１３０に関連する種々のプロセスを示す。図５は、特定の顧客ジョブを有する特定の装置１３０に関連するサービスプロバイダにより実行してもよいプロビジョニングプロセスを示す。図６は、装置を顧客の記憶装置に接続し、装置にデータをロードし、電子ディスプレイを次の宛先に更新する顧客側プロセスを示す。図７は、装置１３０がサービスプロバイダに回収されたときに、サービスプロバイダが実行してもよい装置からデータを移行するプロセスを示す。図示のプロセスは、必要に応じてインポート／エクスポートの一方の実施形態を示す。
【００４８】
プロビジョニング
図５は、いくつかの実施形態による、ネットワーク更新可能な電子インク発送ディスプレイを有する発送可能なデータ記憶装置に関連するプロビジョニングプロセスの流れ図である。実施形態では、図示のプロセスの１つまたは複数の部分は、プロバイダコンピュータまたはネットワークで実行する１つまたは複数のプロセスにより実行してもよい。図示のプロセスは、図１〜３に示す装置１３０で実行してもよい。
【００４９】
ブロック５０２において、コンソールを介して顧客データのインポートまたはエクスポートジョブ（複数可）に関し、１つまたは複数の要求を受ける。コンソールは、ネットワーク基盤のユーザインタフェースを通じてデータ転送プロジェクトまたはジョブのアクセス及び管理を提供するように構成される。実施形態では、ネットワーク基盤のユーザインタフェースは、サービスプロバイダにより提供されてもよい。コンソールは、顧客から種々のプロジェクトを受け、サービスプロバイダにデータを提供するように構成してもよい。実施形態では、サービスプロバイダは、装置が顧客ネットワークに接続されたときに、プロビジョニングプロセスの一部として、及び、顧客ネットワークの認証プロセスの一部としてデータを使用してもよい。
【００５０】
ブロック５０４において、データ転送装置がプロビジョニングされ、セキュリティ情報が装置にインストールされる。例えば、装置１３０が要求された顧客に発送可能なように、顧客プロジェクトまたはジョブに関連して、特定のデータ転送装置が記憶装置から除去され、キー、セキュリティ証明等がロードされる。
【００５１】
エクスポートの実施形態では（例えば、顧客が、データ転送装置を介してストレージサービスプロバイダシステムからエクスポートすることを要求するときに）、データをサービスプロバイダのストレージネットワークからデータ転送装置にロードしてもよい。
【００５２】
ブロック５０６において、データ転送装置１３０の電子ディスプレイ２１４は、顧客から供給された発送アドレス（例えば、コンソールを介して取得したアドレス）をセットしてもよい。例えば、サービスプロバイダは、装置のネットワークインターフェースを介してディスプレイを設定してもよい。ブロック５０８において、データ転送装置１３０は、内蔵型発送コンテナとしてキャリアに提供される。例えば、データ転送装置は、筐体及び電子ディスプレイ装置を越えて任意の追加包装またはラベル付けを行うことなく、一般のキャリアに提供され、これにより発送される。いくつかの実施形態では、装置１３０は、一般のキャリアから、または、サービスプロバイダから、キャリアのネットワークを通じて装置を経路指定するために一般のキャリアが使用するバーコード等を装置に表示させる命令を受けるように構成してもよい。
【００５３】
図６は、いくつかの実施形態による、顧客ロケーションにおいてネットワーク更新可能な電子インク発送ディスプレイを有する発送可能なデータ記憶装置に関連するクライアント側プロセスの流れ図である。プロセスの種々の部分は、顧客ネットワークから装置１３０に移動するデータの一部として、顧客ネットワーク（例えば、企業ロケーションｘ１１０）のサーバまたは他のコンピュータにより実行してもよい。いくつかの実施形態では、プロセスの一部は、顧客ハードウェア上で動作するダウンロードされた専用アプリケーションにより、実行してもよい。実施形態では、専用アプリケーションは、サービスプロバイダからダウンロードしてもよい。
【００５４】
ブロック６０２において、データ転送装置は、キャリアから受け取られる。例えば、装置１３０は、顧客サイト（例えば、企業ロケーションｘ１１０）において、一般のキャリアから受け取ってもよい。データ転送装置は、顧客ネットワークに接続される（ブロック６０４）。これは、装置１３０を顧客のネットワーク（例えば、イーサネットまたはＳＡＴＡ等を介して）に物理的に接続することを包含することがある。
【００５５】
ブロック６０６において、顧客サーバは（例えば、ダウンロードしたアプリケーションの実行を介して）データ転送装置を見つけ、認証する。例えば、顧客サーバは、１つまたは複数のセキュリティ証明書に基づいてデータ転送装置１３０を認証してもよい。いくつかのポイントで、データ転送装置の発送中に表示される宛先情報は、例えば、ネットワーク１０８を介して、セルラーネットワークを介して、または、装置内に格納されたアドレスに基づいて更新してもよい（６０７）。
【００５６】
ジョブがエクスポートジョブである場合（例えば、データ転送装置を介してサービスプロバイダネットワークからエクスポートする）、データはデータ転送装置から顧客特定の記憶装置に移動してもよい（ブロック６０９）。ジョブがインポートジョブである場合（例えば、顧客からサービスプロバイダにデータをインポートする）場合、顧客サーバは、顧客データを暗号化し、暗号化したデータをデータ転送装置にロードし（ブロック６１０）、電子ディスプレイは、例えば、上述の更新された宛先情報に基づいて次の宛先にセットしてもよい（ブロック６１２）。
【００５７】
データ転送装置は、顧客ネットワークから分離され（ブロック６１４）、データ転送装置は、本明細書に記載したように、内蔵型発送コンテナとしてキャリアに提供されてもよい（ブロック６１６）。いくつかの実施形態では、装置１３０は、サービスプロバイダ（例えば、プロバイダ１２０）に送り戻される前に、装置にロードされる更なるデータに向けて他の顧客に送ってもよい。
【００５８】
図７は、いくつかの実施形態による、ネットワーク更新可能な電子インク発送ディスプレイを有する発送可能なデータ記憶装置に関連するサービスプロバイダデータ収集プロセスの流れ図である。実施形態では、サービスプロバイダ１２０のネットワーク上で動作するアプリケーションは、例えば、顧客１１０から装置を戻された後、図７に示すプロセスの一部または全てを実行する。
【００５９】
ブロック７０２において、データ転送装置は、キャリアからサービスプロバイダにおいて受領される（例えば、内蔵型発送コンテナ１３０として）。データ転送装置は、サービスプロバイダネットワークに接続してもよく（ブロック７０４）、データ転送装置からの顧客データが読み出され、暗号化され、サービスプロバイダのストレージサービスに格納される（ブロック７０６）。データ転送装置は、再使用するために準備され、例えば、顧客データ及び／またはセキュリティ情報が装置１３０の永続記憶装置から消去される。
【００６０】
図８は、いくつかの実施形態による、ネットワーク更新可能な電子インク発送ディスプレイを有する発送可能なトート／発送コンテナを示す。図８に示すトートまたは発送コンテナ８１０は、図２及び３に図示される装置１３０よりも多い、同じ、または、少ない構成要素またはモジュールを有してもよい。トート８１０は、トートの筐体内に物品を配置することができるように、開放することが可能な筐体２１５と共に示されている。いくつかの実施形態では、いくつかのトートはフラップ無しで開放してもよい。
【００６１】
トート８１０は、アンテナ２２０、センサ２２２、ＲＦＩＤ２８０、ディスプレイ２１４、スイッチ２３０及びバッテリ２６０と共に示されている。特徴は、図２に示しかつ上述した発送可能なデータ転送装置１３０について記載された機能と同様な機能を実行してもよい。いくつかの実施形態では、トート８１０は、食料雑貨類を詰め、顧客に発送してもよい。センサ２２２は、顧客に輸送するときに、トート８１０の環境の温度を記録してもよい。いくつかの実施形態では、温度または関連するメッセージもしくは警告は、トート８１０により、ディスプレイ２１４に表示してもよく、これは、例えば、トートがある温度よりも低く維持され、または、トートがある期間暖かい環境に置かれたということである。他の実施例では、発送コンテナ８１０は、加速度計センサ２２２を設け、発送コンテナが落下したことを示すデータを記録するように構成してもよく、更に、落下、または落下した時及び場所の指示を通知するメッセージを、ディスプレイ２１４を介して表示するように構成してもよい。
【００６２】
トート８１０は、高額物品（例えば、ワインまたはダイアモンド）、生物（例えば、家畜類または家禽）、食品雑貨類またはコンテナに適合する他の任意の物品等の種々の異なる物品を輸送するように構成してもよい。トートは、例えば冷凍された食品雑貨類を輸送するための断熱性等の特定の内容物に適切なコンテナを形成する、種々の他の特徴を有するように構成してもよい。
【００６３】
図９Ａ〜９Ｄは、いくつかの実施形態による、更新可能な電子ディスプレイを介して表示される種々のタイプの情報を示す。図示の実施例は、制限するものではないが、図１〜３に示しかつ上述のものを含む種々の装置の実施形態に適用可能である。
【００６４】
図９Ａは、ネットワーク更新可能な電子インク発送ディスプレイを有する発送可能なデータ記憶装置の更新可能装置ディスプレイを示す。図示の実施形態では、装置１３０のディスプレイ２１４は、発送人（１４００Ａｖｅ．Ａ，ＳＴＥ  Ｃ）及び受取人アドレス情報（ＢＬＤＧ  ２，１２３  ＨＷＹ  １４）、追跡情報（例えば、追跡バーコード及び関連する追跡ｎｏ．ｌｋｓｄ９４９．．．）、経路コードＤＬ７８７  ９０２（例えば、キャリアネットワークまたは設備内のパッケージの経路制御方法を伝える）、パッケージの宛先のジップコードを特徴付ける郵送バーコード（例えば、１２３４ａｂｃｄ）、及び、種々の情報（例えば、郵便番号、国コード、サービスコード（１ＤＡ等）、追跡番号、ユリウス日、パッケージの量及び重量、アドレス確認、ならびに、出荷国、都市及びストリート）をコード化し得るＱＲコードを表示している。
【００６５】
いくつかの実施形態では、種々の情報は、ディスプレイに直接表示する代わりに、隠し、または、目立たなくし、または、コードで表示してもよい。例えば、アドレスをコード化し、スキャナ等のコンピュータ支援無しで容易に認識可能な宛先を目立たなくしてもよい。例えば、図９Ｂは、装置１３０のディスプレイ２１４が単一のＱＲコードのみを表示する場所にネットワーク更新可能な電子インク発送ディスプレイを設けた発送可能データ記憶装置の更新可能な装置ディスプレイを示す。任意の種々の情報をＱＲコードにコード化し、スキャナまたは画像処理装置を介して、例えばアドレス情報または同種のものを複合してもよい。いくつかの実施形態では、地理的ロケーションにしたがって、情報を隠しもしくは目立たなくし、または表示しなくてもよい。例えば、データ転送装置は、顧客サイトにある間、サービスプロバイダのアドレスを表示せず、代わりに、データ転送装置をキャリアに提供する命令を表示してもよい。実施形態において、装置は、顧客の敷地をいったん離れたときに、サービスプロバイダのアドレスを表示する装置に移行し、または、コンピュータのみが可読な宛先アドレスのコード化版を表示してもよい。
【００６６】
図９Ｃは、ネットワーク更新可能な電子インク発送ディスプレイを有する発送可能なデータ記憶装置の更新可能装置ディスプレイを示す。図示の実施形態では、装置１３０のディスプレイ２１４は、電子ディスプレイを介する表示用である宛先アドレスが、セキュリティ証明に適合しないという警告メッセージを表示している。センサデータ、取扱説明書（例えば、装置を使用するための説明書）、他の警告または同種のもの等、種々の他のメッセージまたは情報を表示してもよい。
【００６７】
図９Ｄは、ネットワーク更新可能な電子インク発送ディスプレイを有する発送可能なデータ記憶装置の更新可能装置ディスプレイを示す。図示の実施形態では、装置１３０のディスプレイ２１４は、装置１３０の種々のセンサに関連するメッセージを表示するように命令されている。表示されたセンサ情報は、検知したデータに関するメタデータを有してもよい。図示の実施例では、ディスプレイは、「容器環境が、ロケーション３０．２８２１８０、−９７．８２４９４５において５／５／２０１５、９：１５ａ．ｍ．に摂氏４７度に達した」のメッセージを表示するように命令されている。実施形態において、他のセンサに関連する他のメッセージは、装置１３０に表示するよう命令してもよい。例えば、ディスプレイは、装置に格納されまたはネットワークを介して装置に送られるユーザマニュアルからの取扱説明書等、装置を使用するための指示を表示するように命令してもよい。他のメッセージを表示してもよく、例えば紛失または盗まれた装置に関するメッセージ等も意図されている。
【００６８】
任意の種々のコンピュータシステムが、ネットワーク更新可能な電子インク発送ディスプレイを有する発送可能データ記憶装置に関連するプロセス（例えば、サービスプロバイダにより、または、顧客サーバ上のダウンロードしたアプリケーションの動作によるプロビジョニングまたは取込み）を実行するように構成してもよい。例えば、図１０は、本明細書に記載のシステム及び方法の一部を実行するために適切なコンピュータシステムの１つの実施形態を示すブロック図である。種々の実施形態において、ストレージサービスロケーション１２０におけるサービスプロバイダのストレージサービス、または、企業ロケーション１１０（例えば、顧客サーバ）における顧客コンピュータは、それぞれ図１０に示すようなコンピュータシステム１０００を有してもよい。
【００６９】
図示の実施形態では、コンピュータシステム１０００は、入出力（Ｉ／Ｏ）インターフェース１０３０を介してシステムメモリ１０２０に連結される１つまたは複数のプロセッサ１０１０を有する。コンピュータシステム１０００は更に、Ｉ／Ｏインターフェース１０３０に連結されるネットワークインターフェース１０４０を有する。いくつかの実施形態では、コンピュータシステム１０００は、企業論理またはダウンロード可能なアプリケーションを実装するサーバを例示してもよく、一方、他の実施形態では、サーバは、コンピュータシステム１０００より多く、少なく、または、異なる要素を包含してもよい。
【００７０】
種々の実施形態では、コンピュータシステム１０００は、１つのプロセッサ１０１０を有するユニプロセッサシステム、または、複数のプロセッサ１０１０（例えば、２つ、４つ、８つもしくは他の適切な数）を有するマルチプロセッサシステムであってもよい。プロセッサ１０１０は、命令を実行することが可能な任意の適切なプロセッサであってもよい。例えば、種々の実施形態では、プロセッサ１０１０は、様々な命令セットアーキテクチャ（ＩＳＡ）、例えば、ｘ１０６、ＰｏｗｅｒＰＣ、ＳＰＡＲＣ、もしくはＭＩＰＳ  ＩＳＡ、またはいずれかの他の適切なＩＳＡ等のうちのいずれかを実行する組込みプロセッサであってもよい。マルチプロセッサシステムでは、プロセッサ１０１０の各々は、必ずしもそうではないが、通常、同じＩＳＡを実装する。
【００７１】
システムメモリ１０２０は、プロセッサ１０１０によってアクセス可能な命令及びデータを格納するように構成してもよい。種々の実施形態では、システムメモリ８２０は、例えばスタティックランダムアクセスメモリ（ＳＲＡＭ）、同期型ダイナミックＲＡＭ（ＳＤＲＡＭ）、非揮発性／フラッシュ型メモリまたは任意の他のタイプのメモリ等、適切なメモリ技術を使用して実装してもよい。図示の実施形態では、サービスプロバイダまたはダウンロード可能な専用ソフトウェアに対する上述のこれらの方法及び技術等、所要の機能を実行するプログラム命令及びデータは、プログラム命令１０２５としてシステムメモリ１０２０内に格納されて示される。いくつかの実施形態では、システムメモリ１０２０は、本明細書に記載のように構成し得るデータ１０３５を包含してもよい。
【００７２】
１つの実施形態では、Ｉ／Ｏインターフェース１０３０は、プロセッサ１０１０、システムメモリ１０２０及びシステム内の任意の周辺装置間のＩ／Ｏトラフィックを調整するように構成してもよく、ネットワークインターフェース１０４０または他の周辺装置を通すことを含む。いくつかの実施形態では、Ｉ／Ｏインターフェース１０３０は、データ信号を１つの構成要素（例えば、システムメモリ１０２０）から別の構成要素（例えば、プロセッサ１０１０）が使用するための適切な形式に変換するため、いずれかの必要なプロトコル、タイミング、または他のデータ変換を実行してもよい。いくつかの実施形態では、Ｉ／Ｏインターフェース１０３０は、例えば、ペリフェラルコンポーネントインターコネクト（ＰＣＩ）バス規格、または、ユニバーサルシリアルバス（ＵＳＢ）規格等の種々のタイプの周辺バスを通して取付けられる装置に対するサポートを包含してもよい。いくつかの実施形態では、Ｉ／Ｏインターフェース１０３０の機能は、例えば、ノースブリッジ及びサウスブリッジ等の２つ以上の別個の構成要素に分離されてもよい。更に、いくつかの実施形態では、システムメモリ１０２０とのインターフェース等のＩ／Ｏインターフェース１０３０の機能の一部または全ては、プロセッサ１０１０に直接組込まれてもよい。
【００７３】
ネットワークインターフェース１０４０は、コンピュータシステム１０００と、例えば、他のコンピュータシステム等、ネットワークに接続された他の装置との間でデータを交換できるように構成してもよい。特に、ネットワークインターフェース１０４０は、コンピュータシステム１０００及び／または種々のＩ／Ｏ装置１０５０間の通信を可能とするように構成してもよい。Ｉ／Ｏ装置１０５０は、本明細書に記載のように、スキャン装置、ディスプレイ装置、入力装置及び／または通信装置を有してもよい。ネットワークインターフェース１０４０は、一般的に１つまたは複数の無線ネットワークプロトコル（例えば、Ｗｉ−Ｆｉ／ＩＥＥＥ  ８０２．１１、または他の無線ネットワーク規格）をサポートしてもよい。しかし、種々の実施形態では、ネットワークインターフェース１０４０は、例えば、他のイーサネットネットワークの他のタイプ等の任意の適切な有線または無線汎用データネットワークを介する通信をサポートしてもよい。更に、ネットワークインターフェース１０４０は、アナログ音声ネットワークもしくはデジタルファイバ通信ネットワーク等の電気通信／電話ネットワークを介して、ファイバチャネルＳＡＮ等のストレージエリアネットワークを介して、または、任意の他の適切なタイプのネットワーク及び／もしくはプロトコルを介する通信をサポートすることができる。
【００７４】
いくつかの実施形態では、システムメモリ１０２０は、上述のようにプログラム命令及びデータを格納するように構成されるコンピュータアクセス可能な媒体の１つの実施形態であってもよい。しかし、他の実施形態では、プログラム命令及び／またはデータは、異なるタイプのコンピュータアクセス可能媒体上で受信、送信または格納されてもよい。一般的に言うと、コンピュータアクセス可能媒体は、例えば、Ｉ／Ｏインターフェース１０３０を介してコンピュータシステム１０００に連結されるディスクまたはＤＶＤ／ＣＤ−ＲＯＭである、磁気または光学式媒体等のコンピュータ可読記憶媒体またはメモリ媒体を包含してもよい。コンピュータ可読記憶媒体は、更に、ＲＡＭ（例えば、ＳＤＲＡＭ、ＤＤＲ  ＳＤＲＡＭ、ＲＤＲＡＭ、ＳＲＡＭ等）、ＲＯＭ等の任意の揮発性または非揮発性媒体を包含してもよく、これらは、システムメモリ１０２０または他のタイプのメモリとしてコンピュータシステム１０００のいくつかの実施形態に包含されてもよい。更に、コンピュータアクセス可能な媒体は、伝送媒体、または、例えば、ネットワークインターフェース１０４０を介して実装されてもよいネットワーク及び／または無線リンク等の通信媒体を介して伝送される、例えば電気、電磁またはデジタル信号等の信号を包含してもよい。
【００７５】
いくつかの実施形態では、Ｉ／Ｏ装置１０５０は、比較的単純または「薄い」装置としてもよい。例えば、Ｉ／Ｏ装置１０５０は、ディスプレイ、データ入力及び通信能力を有するが、その他の場合、ほとんど計算機能を持たないダム端末として構成してもよい。しかし、いくつかの実施形態では、Ｉ／Ｏ装置１０５０は、コンピュータシステム１０００と同様に構成され、１つまたは複数のプロセッサ１０１０と種々の他の装置（いくつかの実施形態では、Ｉ／Ｏ装置１０５０を実装するコンピュータシステム１０００はある程度異なる装置または異なるクラスの装置を有することがあるが）とを有してもよい。
【００７６】
種々の実施形態では、Ｉ／Ｏ装置１０５０（例えば、スキャナまたはディスプレイ装置及び他の通信装置）は、制限するものではないが、種々の実施形態にしたがって、携帯装置、人に装着または人に取付ける装置、及び、任意の移動設備または固定設備に組込みまたは装着される装置を包含してもよい。Ｉ／Ｏ装置１０５０は、更に、制限するものではないが、パーソナルコンピュータシステム、デスクトップコンピュータ、ラックマウントコンピュータ、ラップトップもしくはノート型コンピュータ、ワークステーション、ネットワークコンピュータ、「ダム」端末（すなわち、処理能力を持たないかまたは組込まれていないコンピュータ端末）、携帯情報端末（ＰＤＡ）、携帯電話、または、他の携帯装置、専用装置、プリンタ、もしくは、推奨エンジン１９５もしくは装置１３０と通信するのに適した任意の他のデバイスの１つまたは複数を有してもよい。一般に、Ｉ／Ｏ装置１０５０（例えば、カーソル制御装置、キーボードまたはディスプレイ（複数可））は、コンピュータシステム１０００の要素と通信することができる任意の装置でもよい。１つの実施形態では、Ｉ／Ｏ装置１０５０の少なくともいくつかは、種々のオブジェクトのコードまたは識別子をスキャンまたはそれ以外で読取りもしくは受入れ、推奨エンジン１９５に対するコードと通信するように構成してもよい。このような構成要素は、制限するものではないが、物品、オーダ、容器またはスーツケースの１つまたは複数を包含してもよい。
【００７７】
上記は、以下の条項を考慮してより良く理解し得る。
条項１．  内蔵型発送ユニットとしてネットワーク接続可能なデータ転送装置を発送するように構成される筐体と、
前記筐体に連結され、発送宛先情報を提供するために前記筐体の外部から視認可能な更新可能な電子ディスプレイであって、前記更新可能な電子ディスプレイは前記発送宛先情報を変更するために更新可能である、前記更新可能な電子ディスプレイと、
前記筐体内の永続記憶媒体であって、前記永続記憶媒体は発送中にデータを格納するように構成される、前記永続記憶媒体と、
前記筐体を通して接続可能で、ネットワーク接続記憶装置として前記永続記憶媒体に対するアクセスを提供するように構成されるネットワーク接続部と、
少なくとも前記更新可能な電子ディスプレイに電力を供給するように構成される内部電源と、を備える、ネットワーク接続可能なデータ転送装置。
【００７８】
条項２．  前記更新可能なディスプレイは、発送中に電力無しで前記発送宛先情報の表示を維持するように構成される電子インクスクリーンを有する、条項１に記載のネットワーク接続可能データ転送装置。
【００７９】
条項３．  前記装置は、更に、無線周波数識別（ＲＦＩＤ）を備え、前記ネットワーク接続可能装置を一意的に識別可能で、前記ＲＦＩＤにより追跡可能である、条項１に記載のネットワーク接続可能なデータ転送装置。
【００８０】
条項４．  更に、前記筐体に作用する力を検知するように構成される加速度計を備え、前記ネットワーク接続可能な装置は、前記筐体に作用する力についての情報を前記電子ディスプレイに表示するように構成される、条項１に記載のネットワーク接続可能なデータ転送装置。
【００８１】
条項５．  前記更新可能なディスプレイは、タッチベースの入力を受けるように構成され、ネットワーク上でデータを転送する前記ネットワーク接続可能なデータ転送装置を構成するタッチスクリーンを備える、条項１に記載のネットワーク接続可能なデータ転送装置。
【００８２】
条項６．  前記ネットワーク接続可能な装置は、前記ネットワーク接続可能な装置を認証する１つまたは複数の証明書と、前記ネットワーク接続可能なデータ転送装置の前記永続記憶媒体に格納されたデータを暗号化する１つまたは複数のキーとを有するキーストアをプロビジョニングされている、条項１に記載のネットワーク接続可能なデータ転送装置。
【００８３】
条項７．  前記装置は、更に、前記ネットワーク接続可能なデータ転送装置の環境のそれぞれの特性を検知するように構成される温度センサ、圧力センサまたは湿度センサの少なくとも１つを備え、前記ネットワーク接続可能な装置は、前記少なくとも１つのセンサから取得した情報を前記電子ディスプレイに表示するように構成される、条項１に記載のネットワーク接続可能なデータ転送装置。
【００８４】
条項８．  前記ネットワーク接続可能なデータ転送装置は、ＭＩＬ  ＳＴＤ  ８１０（ＭＩＬ−ＳＰＥＣ）またはＩＰＸＸ（異物侵入防護）を含む１つまたは複数の規格にしたがって、塵埃及び水に対する保護が高耐久化される、条項１に記載のネットワーク接続可能なデータ転送装置。
【００８５】
条項９．  永続記憶媒体は、１つまたは複数のハードディスクドライブ、光学式媒体、磁気テープまたはソリッドステート記憶装置を備え、前記ネットワーク接続可能なデータ転送装置は、前記更新可能な電子ディスプレイを介して、前記永続記憶媒体の１つまたは複数の作動特性の表示を命令するように構成される、条項１に記載のネットワーク接続可能なデータ転送装置。
【００８６】
条項１０．  サービスプロバイダの１つまたは複数のコンピュータにより、顧客データのインポートジョブに対する要求を受け取ることであって、前記要求は、顧客ロケーション及び顧客ロケーションから前記サービスプロバイダにインポートされるデータの量を特定する、前記要求を受け取ることと、
前記顧客データインポートジョブに基づいてデータ転送装置の量をプロビジョニングすることであって、
前記プロビジョニングは、前記データ転送装置のそれぞれの量に対して、
前記プロビジョニングされたデータ転送装置にセキュリティ情報をインストールすることであって、前記セキュリティ情報は、前記データ転送装置に格納された顧客データを保護するために使用可能である、前記インストールすることと、
前記データ転送装置の筐体の電子ディスプレイに、前記顧客ロケーションに対する発送アドレスの表示を命令することと、を備える、前記プロビジョニングすることと、
前記データ転送装置の量のそれぞれに対して、前記データ転送装置の前記筐体の前記電子ディスプレイに表示された前記発送アドレスにしたがって、前記顧客に対する発送を命令することであって、前記筐体は、前記データ転送装置の内蔵型発送ユニットを提供し、前記データ転送装置は、前記筐体内の前記顧客ロケーションにおいてネットワーク上でインストールするように構成される、前記命令することと、
を備える、方法。
【００８７】
条項１１．  所与のデータ転送装置に対して、前記顧客に対して発送を命令することは、一般のキャリアに前記所与のデータ転送装置の前記顧客に対する発送を命令することを含み、更に、
前記方法は、更に、
前記一般のキャリアから、前記一般のキャリアに特有の前記発送用のコードを受け取ることと、
前記所与のデータ転送装置の前記電子ディスプレイを介して、前記一般のキャリアのコードを表示するように前記所与のデータ搬送装置に命令することと、を備える、条項１０に記載の方法。
【００８８】
条項１２．  前記方法は、更に、
無線ネットワークを介して、かつ、前記顧客に対して前記データ転送装置の所与の１つの発送を前記命令することに続いて、前記データ転送装置の１つまたは複数のセンサから取得したセンサデータを受け取ることと、
前記センサデータの少なくとも一部に基づいて、前記データ転送装置を再度経路指定すること、または、前記顧客に電子メッセージを送信すること、を備える、条項１０に記載の方法。
【００８９】
条項１３．  前記方法は、更に、
前記顧客に対して前記データ転送装置の所与の１つの発送を前記命令することに続き、かつ、前記サービスプロバイダにおいて、戻される前記データ転送装置を受け取る前に、
無線ネットワークを介して、更新された発送アドレス情報を前記所与のデータ転送装置に送信することと、
前記データ転送装置が他の顧客ロケーションを有する前記更新された発送アドレスに経路指定されるように、前記データ転送装置の前記筐体の前記電子ディスプレイを介して、前記更新された発送アドレスを表示するように前記データ転送装置に命令することと、を備える、条項１０に記載の方法。
【００９０】
条項１４．  前記方法は、更に、
所与のデータ転送装置について、前記データ転送装置の前記筐体の前記電子ディスプレイに表示された前記発送アドレスにしたがって、前記顧客に対する前記発送を命令した後、
前記サービスプロバイダにおいて、前記所与のデータ転送装置を受け取ることと、
前記所与のデータ転送装置を前記サービスプロバイダのストレージサービスに接続することと、
前記サービスプロバイダのストレージサービスに対して、前記所与の転送装置から顧客データを読取り、復号し、更に、転送することと、
再使用のために、前記所与のデータ転送装置を準備することであって、前記所与のデータ転送装置から前記顧客データ及びセキュリティ情報を消去することを含む、前記準備することと、を備える、条項１０に記載の方法。
【００９１】
条項１５．  データ転送装置の発送を受け取った後、前記データ転送装置は、電子ディスプレイを有する筐体と前記筐体の内側にデータを格納するように構成される記憶媒体とを有し、前記電子ディスプレイは発送アドレスを表示するように構成され、
前記データ転送装置を、前記筐体を通してネットワークに接続することと、
前記データ転送装置に前記ネットワークを介してデータをロードすることと、
前記データ転送装置の前記電子ディスプレイを次の発送宛先に変更することと、
前記データ転送装置を、前記データ転送装置の前記筐体の前記電子ディスプレイに表示された前記発送アドレスにしたがって前記次の発送宛先に発送することであって、前記筐体は、前記データ転送装置の内蔵型発送ユニットを提供する、前記発送することと、を備える、方法。
【００９２】
条項１６．  前記方法は、更に、
更新された発送アドレス情報を、無線ネットワークを介して前記データ転送装置により受け取ることと、
前記データ転送装置が前記更新された発送アドレスに再度経路指定されるように、前記データ転送装置の前記筐体の前記電子ディスプレイを介して前記更新された発送アドレス情報を表示することと、を備える、条項１５に記載の方法。
【００９３】
条項１７．  前記更新された発送情報は、前記発送情報が提供されたセキュリティ証明書と照合して認証され、
前記方法は、更に、前記更新された発送情報が前記セキュリティ証明書と照合する認証に失敗しときに、前記電子ディスプレイに警報メッセージを表示するように命令することを備える、条項１６に記載の方法。
【００９４】
条項１８．  前記方法は、更に、前記データ転送装置の前記電子ディスプレイを介して、前記データ転送装置を前記ネットワークに接続する命令を表示することを備える、条項１５に記載の方法。
【００９５】
条項１９．  前記次の発送宛先が、前記データの宛先として作用するサービスプロバイダであるときに、前記サービスプロバイダの前記発送アドレスが難読化されるように、前記データ転送装置は、対応して表示された発送宛先をコード化し、前記コード化された発送アドレスを表示するように構成される、条項１５に記載の方法。
【００９６】
条項２０．  前記方法は、更に、
前記データ転送装置の接続の進捗とデータ転送の進捗を判断することと、
前記データ転送装置の前記電子ディスプレイを介して、前記進捗の指示を表示することと、を備える、条項１５に記載の方法。
【００９７】
条項２１．  サービスプロバイダの１つまたは複数のコンピュータにより、顧客データのエクスポートジョブ要求を受け取ることであって、前記要求は、前記サービスプロバイダのデータストレージサービスからエクスポートされるべき顧客データを特定する、前記受け取ることと、
前記顧客データエクスポートジョブに基づいて１つまたは複数のデータ転送装置をプロビジョニングすることであって、前記プロビジョニングは、前記１つまたは複数のデータ転送装置のそれぞれに対し、
前記データ転送装置を前記データ転送装置の筐体を通してネットワークに接続することと、
前記プロビジョニングされたデータ転送装置にセキュリティ情報をインストールすることであって、前記セキュリティ情報は、前記データ転送装置に格納された顧客データを保護するために使用可能である、前記インストールすることと、
前記データ転送装置に前記ネットワークを介して顧客データをロードすることと、
前記データ転送装置の前記筐体の電子ディスプレイに、顧客特定のロケーションの発送アドレスの表示を命令すること、を備える、前記プロビジョニングすることと、
前記１つまたは複数のデータ転送装置のそれぞれに対し、
前記データ転送装置の前記筐体の前記電子ディスプレイに表示された前記発送アドレスにしたがって、前記顧客特定のロケーションに対する発送を命令することであって、前記筐体は、前記データ転送装置に対する内蔵型発送ユニットを提供し、前記データ転送装置は、前記筐体内の前記顧客ロケーションにおいてネットワーク上でインストールするように構成される、前記命令することと、を備える方法。
【００９８】
条項２２．  前記方法は、更に、
前記電子ディスプレイに表示された前記発送アドレスにしたがって前記顧客特定のロケーションに対する発送を前記命令することに続き、
前記１つまたは複数のデータ転送装置のそれぞれに対し、
前記データ転送装置の筐体の電子ディスプレイに、顧客特定のロケーションの発送アドレスの表示を命令することと、
前記データ転送装置の前記筐体の前記電子ディスプレイに表示された前記発送アドレスにしたがって、前記他の顧客特定のロケーションに対する発送を命令することと、を備える、条項２１に記載の方法。
【００９９】
条項２３．  前記方法は、更に、
前記１つまたは複数のデータ転送装置のそれぞれに対し、
前記電子ディスプレイに表示された前記発送アドレスにしたがって前記顧客特定のロケーションに対する発送を前記命令することに続き、
無線ネットワークを介して、更新された発送アドレス情報を前記データ転送装置に送信することと、
前記顧客ロケーションの前記発送アドレスに発送中に、前記データ転送装置が前記更新された発送アドレスに再度経路指定されるように、前記データ転送装置の前記筐体の前記電子ディスプレイを介して前記更新された発送アドレスを表示するように、前記データ転送装置に命令することと、を備える、条項２１に記載の方法。
【０１００】
図面に示され、本明細書で説明された種々の方法は、方法の例示的な実施形態を表している。これらの方法は、ソフトウェア、ハードウェアまたはこれらの組み合わせにおいて、手動で実行してもよい。いずれの方法の順序を変更してもよく、種々の要素を追加、再順序付け、組み合わせ、省略、修正等を施してもよい。例えば、１つの実施形態では、方法は、コンピュータ可読記憶媒体に連結され、これに格納されたプログラム命令を実行するプロセッサを有するコンピュータシステムにより実現してもよい。プログラム命令は、ここに記載の機能（例えば、企業論理、梱包サービス、製品データベース、装置及び／または他の通信装置等）を実現するように構成してもよい。
【０１０１】
この開示の利点を得る当業者に明らかなように、種々の修正及び変更がなされ得る。そのような修正及び変更の全てを包含することが意図されており、したがって、上記説明は限定的な意味ではなく、例示的であると見なされる。
【０１０２】
種々の実施形態は更に、上述の説明にしたがってコンピュータアクセス可能な媒体に実装される命令及び／もしくはデータを受信し、送信し、ならびに／または格納することを包含してもよい。一般に、コンピュータアクセス可能媒体は、磁気または光学媒体、例えば、ディスクまたはＤＶＤ／ＣＤ−ＲＯＭ、ＲＡＭ（例えば、ＳＤＲＡＭ、ＤＤＲ、ＲＤＲＡＭ、ＳＲＡＭ等）、ＲＯＭ等の揮発性または非揮発性媒体、ならびに、通信媒体、または、ネットワーク及び／または無線リンク等の通信媒体を介して搬送される電気、電磁もしくはデジタル信号等の信号を包含してもよい。
【図１】
0006560768.tif 000002
【図２】
0006560768.tif 000003
【図３】
0006560768.tif 000004
【図４】
0006560768.tif 000005
【図５】
0006560768.tif 000006
【図６】
0006560768.tif 000007
【図７】
0006560768.tif 000008
【図８】
0006560768.tif 000009
【図９Ａ】
0006560768.tif 000010
【図９Ｂ】
0006560768.tif 000011
【図９Ｃ】
0006560768.tif 000012
【図９Ｄ】
0006560768.tif 000013
【図１０】
0006560768.tif 000014